(57)【要約】      （修正有）【課題】折り畳みテーブルを展開しかつ安定して合体可能とするテーブル構造を提供する。【解決手段】第一、第二板体からなるテーブル天板と、これらを折畳可能に結合する合致フレームと、該合致フレームに設置された折り畳みテーブル脚からなり、テーブル脚は、それぞれ第一、第二支持部材３１、３２からなり、それぞれ順番にＵ字型金具３１１、３２１、弾性山型本体３１２、３２２とバネスリーブ３１３、３２３が線材の一体成型により成型されてなり、Ｕ字型金具３１１、３２１をバネスリーブ３１３、３２３に挿入して組み立てられ、テーブルの展開時には各バネスリーブから各Ｕ字型金具に作用する弾発力によって容易に展開作業を行うことができる。【選択図】図６
0003225337.tif 000002
【実用新案登録請求の範囲】
【請求項１】
テーブル天板と、二つの合致フレームと、二つの折り畳みテーブル脚とを含む、折り畳みテーブルを展開しかつ安定して合体可能なテーブル構造であって、
前記テーブル天板は、それぞれ二つの長辺と二つの短辺を備えて長方形を呈する第一板体と第二板体からなり、それぞれの一方側の長辺を接して互いに連接して折り畳み可能とされ、
上記二つの合致フレームは、それぞれ第一フレームと第二フレームであって、第一板体と第二板体の各短辺にそれぞれ接して、該第一板体と第二板体の裏側表面に設置され、該第一フレームは、上記第一板体の短辺に近い場所に第一合致スリットを設け、上記第二フレームは上記第二板体の短辺に近い場所に第二合致スリットを設け、
上記二つの折り畳みテーブル脚は、それぞれ二つの合致フレームに対応して設置され、
該二つの折り畳みテーブル脚は、それぞれ第一支持部材と第二支持部材であって、該第一支持部材は、順番に第一Ｕ字型金具、第一弾性山型本体と第一バネスリーブが一体成型されてなり、
該第二支持部材は、順番に第二Ｕ字型金具、第二弾性山型本体と第二バネスリーブが一体成型されてなり、
上記第一弾性山型本体は、上記第一フレームの第一合致スリットを貫通して掛けて、上記第一Ｕ字型金具と上記第一バネスリーブを上記第一板体と上記第二板体の各長辺の連接部分に近付けて配置し、
上記第二弾性山型本体は、上記第二フレームの上記第二合致スリットを貫通して掛けて、上記第二Ｕ字型金具と上記第二バネスリーブを上記第一板体と上記第二板体の各長辺の連接部分に近付けて配置し、
また、上記第一Ｕ字型金具を上記第二バネスリーブに挿し込み、上記第二Ｕ字型金具を上記第一バネスリーブに挿し込むことにより、
展開状態の時、上記第一板体と上記第二板体が同じ平面にあり、また各折り畳みテーブル脚の上記第一支持部材の上記第一弾性山型本体を傾斜させて上記第一板体と上記第二板体の連接部分より離れた方向の上記第一合致スリットの一端に当接し、
折り畳みテーブル脚の上記第二支持部材の上記第一弾性山型本体を傾斜させて上記第一板体と上記第二板体の連接部分より離れた位置の上記第二合致スリットの一端に当接し、同時に上記第一バネスリーブが上記第二Ｕ字型金具に対して作用する弾発力、上記第二バネスリーブが上記第一Ｕ字型金具に対して作用する弾発力によって広げられ、
さらに上記第一弾性山型本体の底部及び上記第二弾性山型本体の底部を上記第一Ｕ字型金具を上記第二バネスリーブに挿し込み、上記第二Ｕ字型金具を上記第一バネスリーブに挿し込んだ構造により固定し、
折り畳まれた状態の時、上記第一板体は上記第二板体の方向へ向かって折り畳まれて接近して、上記第一弾性山型本体は上記第一合致スリットに沿って移動して上記第一板体と上記第二板体の連接部分に接近し、また上記第一弾性山型本体の全体を上記第一板体に接近させ、上記第二弾性山型本体は上記第二合致スリットに沿って移動して上記第一板体と上記第二板体の連接部分に接近し、また上記第二弾性山型本体の全体は上記第二板体に接近させ、上記第一支持部材と上記第二支持部材を上記第一フレームと上記第二フレームの間に位置させ、同時に上記第一フレームと上記第二フレームを上記第一板体と上記第二板体の間に位置させることを特徴とする折り畳みテーブルを展開しかつ安定して合体可能なテーブル構造。
【請求項２】
上記第二板体との連接部分の反対側の上記第一板体の長辺に第一結合部を設け、上記第一板体と
の連接部分の反対側の上記第二板体の長辺に第二結合部を設けることにより、折り畳みテーブルを展開しかつ安定して合体させるテーブル構造の上記第一結合部は他の折り畳みテーブルを展開しかつ安定して合体させるテーブル構造の上記第二結合部と互いに結合可能として合体したテーブルとすることを可能としたことを特徴とする請求項１の折り畳みテーブルを展開しかつ安定して合体可能なテーブル構造。
【請求項３】
上記第一結合部と上記第二結合部は直接結合する方法で結合されることを特徴とする請求項２の折り畳みテーブルを展開しかつ安定して合体可能なテーブル構造。
【請求項４】
上記第一フレームは、三角形を呈し、三角形を呈する該第一フレームの長辺に上記第一合致スリットが設置され、三角形を呈する該第一フレームの短辺は上記第一板体と上記第二板体の連接部分に配置され、三角形を呈する該第一フレームの斜辺に合致突ブロックを設けて上記第一支持部材の上記第一弾性山型本体を当接せしめることにより位置限定することを特徴とする請求項２の折り畳みテーブルを展開しかつ安定して合体可能なテーブル構造。
【請求項５】
上記第一フレームは、上記第一Ｕ字型金具を上記第二バネスリーブに挿し込んだ部分に近接して位置限定スリットが形成され、上記第一弾性山型本体は該位置限定スリットを貫通して該位置限定スリットの移動位置限定を受けることを特徴とする請求項１の折り畳みテーブルを展開しかつ安定して合体可能なテーブル構造。
【請求項６】
上記第一Ｕ字型金具を上記第二バネスリーブ部分に挿し込んで、上記第一板体と上記第二板体の各短辺から浮かして設置され、上記第二Ｕ字型金具を上記第一バネスリーブ部分に挿し込んで、上記第一板体と上記第二板体の各短辺から浮かして設置されたことを特徴とする請求項１の折り畳みテーブルを展開しかつ安定して合体可能なテーブル構造。
【請求項７】
上記第一支持部材の上記第一弾性山型本体は、第一上段、第一連接段と第一下段からなり、該第一上段は上記第一板体側に設置され、該第一連接段の両端はそれぞれ角度を付けて該第一上段と該第一下段とに連接され、
該第一上段は該第一連接段と連接する一端の反対端で上記第一バネスリーブと連接され、また該第一バネスリーブは該第一上段より下方へ延伸して、該第一バネスリーブは第一板体の裏側表面とほぼ垂直をなし、該第一上段は該第一連接段の連接部分と近接する一端で上記第一合致スリットを貫通し、また上記展開状態の時に傾斜させて上記第一板体と上記第二板体の連接部分より離れた位置の上記第一板体の第一合致スリットの一端に当接し、
該第一下段は該第一連接部分と連接する一端の反対端で第一Ｕ字型金具が連接され、該第一Ｕ字型金具は該第一下段より上方へ延伸されて、該第一Ｕ字型金具は第一板体の裏側表面とほぼ垂直をなすことを特徴とする請求項１の折り畳みテーブルを展開しかつ安定して合体可能なテーブル構造。
【請求項８】
上記第二支持部材の上記第二弾性山型本体は、第二上段、第二連接段と第二下段からなり、該第二上段は上記第二板体側に配置され、該第二連接段の両端はそれぞれ角度を付けて該第二上段と該記第二下段と連接され、該第二上段は該第二連接段と連接する一端の反対端で上記第二バネスリーブと連接され、また該第二バネスリーブは該第二上段より下方へ延伸することで、該第二バネスリーブは第二板体の裏側表面と垂直をなし、該第二上段は該第二連接段の連接部分と近接する一端で上記第二合致スリットを貫通し、また上記展開状態の時に傾斜させて上記第一板体と上記第二板体の連接部分より離れた位置の上記第二板体の第二合致スリットの一端に当接し、該第二下段は該第二連接部分と連接する一端の反対端で第二Ｕ字型金具が連接され、該第二Ｕ字型金具は該第二下段より上方へ延伸されることで、該第二Ｕ字型金具は第一板体の裏側表面と垂直をなすことを特徴とする請求項７の折り畳みテーブルを展開しかつ安定して合体可能なテーブル構造。
【請求項９】
底面図から見て、上記展開状態の時、上記第一支持部材の上記第一上段と上記第一下段が交互に交差し、上記第二支持部材の第二上段と上記第二下段は交差しないことを特徴とする請求項８の折り畳みテーブルを展開しかつ安定して合体可能なテーブル構造。
【請求項１０】
上記第一支持部材の上記第一弾性山型本体は、第一上段、第一連接段と第一下段からなり、該第一上段は上記第一板体側に配置され、該第一連接段の両端はそれぞれ角度を付けて該第一上段と該第一下段と連接され、該第一上段は該第一連接段と連接する一端の反対端で上記第一バネスリーブと連接され、また該第一バネスリーブは該第一上段より下方へ延伸して該第一バネスリーブは第一板体の裏側表面とほぼ垂直をなし、該第一上段は該第一連接段の連接部分と近接する一端で上記第一板体の第一合致スリットを貫通し、また上記展開状態の時に傾斜させて上記第一板体と上記第二板体の連接部分より離れた方向の該第一合致スリットの一端に当接し、上記第一下段は該第一連接部分と連接する一端の反対端で第一Ｕ字型金具が連接され、該第一Ｕ字型金具は上記第一下段より上方へ延伸されることで、該第一Ｕ字型金具は第一板体の裏側表面と垂直をなし、該第一下段は該第一Ｕ字型金具と隣接する部分で上記位置限定スリットを貫通してなることを特徴とする請求項５の折り畳みテーブルを展開しかつ安定して合体可能なテーブル構造。
【考案の詳細な説明】
【技術分野】
【０００１】
本考案は、テーブルの構造に関し、特に折り畳みテーブルを展開しかつ安定して合体可能なテーブル構造に関する。
【背景技術】
【０００２】
従来の折り畳みテーブル構造は、中華民国新型公告専利号第Ｍ５７６００２号公報（特許文献１に挙げた実用新案登録第３２２１１５３号公報）に提案されているが、以下に図１と図２を参照して説明する。
従来の折り畳みテーブル構造は、テーブル天板１０’と、二つの折り畳みフレーム２０’と、二つの支持ユニット３０’とを含む。テーブル天板１０’は二つの対称な形状からなるアルミ製の長方形板体１１’より構成され、二つの長方形板体１１’の裏面にはそれぞれ内側、外側に互いに相応する凸リブ１３’が設けられ、二つの折り畳みフレーム２０’は二つの長方形板体１１’を跨いでテーブル天板１０’の裏面に設けられ、また折り畳むためそれぞれ第一鉄片２１’と第二鉄片２２’がある。
【０００３】
第一、第二鉄片２１’、２２’はそれぞれほぼ直角三角形状を呈し、また直角端の隅で回転軸部２３’により互いに枢接される。
第一鉄片２１’には上記直角端の水平辺にL型の内折側板２１１’が設けられ、内折側板２１１’の垂直面に位置限定長スリット２１２’が設けられる。第二鉄片２２’には同様に水平辺にL型の外折側板２２１’が設けられ、外折側板２２１’は前記内折側板２１１’と同じ水平辺側にあり、また外折側板２２１’の垂直面にも位置限定長スリット２２２’が設けられる。
第一、第二鉄片２１’、２２’の水平辺を介して反対端にそれぞれ位置限定滑り辺２１３’、２２３’が垂直に延伸して設けられ、また第一鉄片２１’の内折側板２１１’に相対する対角の頂端にL型の内当て板２１４’が設けられ、内当て板２１４’には位置限定長スリット２１２’に相対して位置限定短スリット２１５’が設けられ、また、内当て板２１４’の頂端２１６’は長方形板体１１’の裏面内側の凸リブ１３’に当接し、さらに内当て板２１４’の頂端２１６’より他端に向かって斜め誘導辺２１７’が形成され、第一鉄片２１’の頂端の内当て板２１４’の近傍に位置限定板２１８’が設けられる。
【０００４】
二つの支持ユニット３０’はそれぞれ二つの折り畳みフレーム２０’の第一、第二鉄片２１’、２２’の間に設けられ、またそれぞれ第一脚３１’と第二脚３２’があり、第一、第二脚３１’、３２’はいずれも金属棒材を曲げてＵ字形状に形成されて第一立て棒３１１’、３２１’と第二立て棒３１２’、３２２’がある。
第一脚３１’の第一立て棒３１１’と第二脚３２’の３２１’、及び第一脚３１’の第二立て棒３１２’と第二脚３２’の第二立て棒３２２’とはそれぞれ長さが異なり、かつ同じ平面内に位置しない。そして、第一脚３１’の第一立て棒３１１’は第二脚３２’の第二立て棒３２２’と同じ長さであり、第一脚３１’の第二立て棒３１２’は第二脚３２’の第一立て棒３２１’と同じ長さである。
また、上記の第一立て棒３１１’、３２１’は第二立て棒３１２’、３２２’に向けてそれぞれ組み合わせ接続棒３１３’、３２３’が延伸され、第二立て棒３１２’、３２２’は第一立て棒３１１’、３２１’に向けて組み合わせスリーブ３１４’、３２４’が延伸して形成され、第一脚３１’の第一立て棒３１１’は組み合わせ連接棒３１３’が第二脚３２’にある第二立て棒３２２’の組み合わせスリーブ３２４’に嵌合され、また、同様にして第二脚３２’の第一立て棒３２１’は組み合わせ接続棒３２３’が該第一脚３１’の第二立て棒３１２’の組み合わせスリーブ３１４’に嵌合され、前記した第一脚３１’と第二脚３２’のそれぞれの第一立て棒及び第二立て棒との長さの相違により、この状態において撓んで山形の支持ユニットが形成され、弾発力が作用して内方へ圧縮すると外方に向かう変型弾発力が働く（図２参照。）。
【０００５】
上記の折り畳みテーブル構造における第一脚３１’と第二脚３２’の結合は組み合わせ連接棒３１３’、３２３’を組み合わせスリーブ３１４’、３２４’にそれぞれ嵌合して設けられるため、組み立てにくく、取り外しにくいだけでなく、異なる部材と製造過程によって製作される必要があるため、時間がかかり、かつコストもかかる。さらに、異なる部材で組み立てるには展開と折り畳む作業には格別の補助助力なしに、比較的に大きい力で折り畳みテーブルの構造を変えなければならない。また、テーブル天板１０’の外側に凸リブ１３’が設けられるため、二つのテーブルを合体する時の不安定さと不便さを招く。
従って、本考案者は長年にわたって関係商品の製造開発と設計をした経験により、上記の課題について、詳しく設計・工夫をして慎重に評価した結果、実用性に満ちた本考案を得た。
【先行技術文献】
【特許文献】
【０００６】
【特許文献１】実用新案登録第３２２１１５３号公報
【考案の概要】
【考案が解決しようとする課題】
【０００７】
従来技術に存在する上記の欠点について解決し、折り畳みテーブルを展開しかつ安定して合体可能なテーブル構造を提供する。
【課題を解決するための手段】
【０００８】
本考案の折り畳みテーブルを展開しかつ安定して合体可能なテーブル構造は、テーブル天板と、二つの合致フレームと、二つの折り畳みテーブル脚とを含む。
前記テーブル天板は、それぞれ二つの長辺と二つの短辺を備えて長方形を呈する第一板体と第二板体からなり、それぞれの一方側の長辺を接して互いに連接して折り畳み可能とされる。
上記二つの合致フレームは、第一フレームと第二フレームとであって、該第一板体と該第二板体の各短辺にそれぞれ近接して、該第一板体と該第二板体の裏側表面にそれぞれ設置される。
該第一フレーム体は、該第一板体の短辺に近い場所に第一合致スリットを設け、該第二フレーム体は該第二板体の短辺に近い場所に第二合致スリットを設ける。
【０００９】
上記二つの折り畳みテーブル脚は、それぞれ第一支持部材と第二支持部材とであって、それぞれ二つの合致フレームに対応して設置され、該第一支持部材は順番に第一Ｕ字型金具、第一弾性山型本体と第一バネスリーブが一体成型されてなり、第二支持部材は順番に第二Ｕ字型金具、第二弾性山型本体と第二バネスリーブが一体成型されてなる。
該第一弾性山型本体は、該第一フレームの該第一合致スリットを貫通して掛けられ、該第一Ｕ字型金具と該第一バネスリーブを該第一板体と該第二板体の各長辺の連接部分に近接して配置し、該第二弾性山型本体は、該第二フレームの該第二合致スリットを貫通して掛けられて、該第二Ｕ字型金具と該第二バネスリーブが該第一板体と該第二板体の各長辺の連接部分に近接して配置される。
また、該第一Ｕ字型金具を該第二バネスリーブに挿し込み、該第二Ｕ字型金具を該第一バネスリーブに挿し込む。  
【００１０】
展開状態の時、上記第一板体と第二板体が同じ平面をなし、また上記折り畳みテーブル脚の第一支持部材の第一弾性山型本体を傾斜させて該第一板体と該第二板体の連接部分より離れた方向の上記第一合致スリットの一端に当接する。  また同じく、上記折り畳みテーブル脚の第二支持部材の第二弾性山型本体を傾斜させて該第一板体と該第二板体の連接部分より離れた方向の第二合致スリットの一端に当接する。
同時に該第一バネスリーブが該第二Ｕ字型金具に対して作用する弾発力、または該第二バネスリーブは該第一Ｕ字型金具に対して作用する弾発力によって拡大され、さらに該第一弾性山型本体の底部、該第二弾性山型本体の底部と該第一Ｕ字型金具を該第二バネスリーブに挿し込み、また該第二Ｕ字型金具を該第一バネスリーブに挿し込んだ構造によって、展開した状態のテーブルを安定して固定する。
【００１１】
折り畳まれた状態の時、上記第一板体は該第二板体の方向へ向けて折り畳まれて接近し、上記第一弾性山型本体は第一フレームの第一合致スリットに沿って移動して該第一板体と該第二板体の連接部分に接近し、また該第一弾性山型本体の全体を該第一板体に接近させる。
また、上記第二弾性山型本体は、該第二合致スリットに沿って移動して該第一板体と該第二板体の連接部分に接近し、また該第二弾性山型本体の全体を該第二板体に接近させて、上記第一支持部材と第二支持部材は該第一フレームと該第二フレームの間に位置させ、同時に該第一フレームと該第二フレームは該第一板体と該第二板体の間に位置される。
【００１２】
一部の実施例において、上記第二板体の連接部分と離れた方向の第一板体の長辺に第一結合部を設け、該第一板体の連接部分と離れた方向の該第二板体の長辺に第二結合部を設ける。
この構造により、折り畳みテーブルを展開しかつ安定して合体するテーブル構造の該第一結合部は他のもう一つの折り畳みテーブルを展開しかつ安定して合体可能なテーブル構造の第二結合部と互いに結合して一つに合体したテーブルになる。
一部の実施例において、該第一結合部と第二結合部は直接連接する方法で結合される。
【００１３】
一部の実施例において、該第一フレームはほぼ三角形を呈し、三角形を呈する該第一フレームの長辺に第一合致スリットが設置され、三角形を呈する該第一フレームの短辺は該第一板体と該第二板体の連接部分に設置され、三角形を呈する該第一フレームの斜辺に合致突ブロックが設置され、該第一支持部材の第一弾性山型本体を当接して位置限定する。
【００１４】
一部の実施例において、上記第一フレームは上記第一Ｕ字型金具を該第二バネスリーブに挿し込んだ部分近傍に位置限定スリットが形成され、上記第一弾性山型本体は該位置限定スリットを貫通し、該位置限定スリットに移動位置範囲を限定される。
一部の実施例において、該第一Ｕ字型金具を該第二バネスリーブ部分に挿し込んで、該第一板体と該第二板体の各短辺から浮かして配置され、該第二Ｕ字型金具を該第一バネスリーブ部分に挿し込んで、該第一板体と該第二板体の各短辺から浮かして配置される。
【００１５】
一部の実施例において、該第一支持部材の第一弾性山型本体は第一上段、第一連接段と第一下段からなる。該第一上段は該第一板体の側に設置され、該第一連接段の両端はそれぞれ角度を付けて該第一上段と該第一下段と連接される。
該第一上段は、該第一連接段と連接する一端の反対端で該第一バネスリーブと連接され、また該第一バネスリーブは該第一上段より下方へ延伸して該第一バネスリーブは第一板体の裏側表面と垂直をなす。第一上段は該第一連接段の連接部分と近接する一端で該第一合致スリットを貫通し、また展開状態の時に傾斜させて該第一板体と該第二板体の連接部分より離れた方向で該第一合致スリットの一端に当接し、上記第一下段は該第一連接部分と連接する一端の反対端で第一Ｕ字型金具が連接され、該第一Ｕ字型金具は該第一下段より上方へ延伸されることで、該第一Ｕ字型金具は第一板体の裏側表面とほぼ垂直をなし、該第一上段は該第一Ｕ字型金具と隣接する部分で該第一板体の位置限定スリットを貫通する。
【００１６】
一部の実施例において、該第二支持部材の該第二弾性山型本体は第二上段、第二連接段と第二下段からなる。
該第二上段は該第二板体の側に設置され、該第二連接段の両端はそれぞれ角度を付けて該第二上段と該第二下段と連接される。該第二上段は該第二連接段と連接する一端の反対端で該第二バネスリーブと連接され、また該第二バネスリーブは該第二上段より下方へ延伸することで、該第二バネスリーブは第二板体の裏側表面とほぼ垂直をなす。
該第二上段は、該第二連接段の連接部分と近接する一端で上記第二板体の第二合致スリットを貫通し、また展開状態の時に傾斜させて該第一板体と該第二板体の連接部分より離れた方向の該第二合致スリットの一端に当接し、該第二下段は該第二連接部分と連接する一端の反対端で第二Ｕ字型金具が連接され、該第二Ｕ字型金具は該第二下段より上方へ延伸されることで、該第二Ｕ字型金具は第一板体の裏側表面とほぼ垂直をなす。
【００１７】
一部の実施例において、底面図から見ると、展開状態の時、前記該第一支持部材の第一上段と第一下段が交互に交差し、第二支持部材の第二上段と第二下段は交差しない。
本考案の折り畳みテーブルを展開しかつ安定して合体させるテーブル構造において、第一支持部材と第二支持部材は一体成型によって製造され、その形状は大体類似または同じであるため、生産製造しやすく、生産製造と材料のコストが節約できる。また、第一支持部材と第二支持部材の組み立ては第一Ｕ字型金具を第二バネスリーブに挿し込み、第二Ｕ字型金具を第一バネスリーブに挿し込むことで、組み立てやすく、取り外しやすい。
また、第一バネスリーブが第二Ｕ字型金具に対して作用する弾発力と第二バネスリーブが第一Ｕ字型金具に対して作用する弾発力を利用することにより、大きな力を使わなくても展開でき、さらに該第一弾性山型本体の底部、該第二弾性山型本体の底部と該第一Ｕ字型金具によって該第二バネスリーブに挿し込み、該第二Ｕ字型金具を該第一バネスリーブに挿し込む構造によって固定することにより、展開後の安定効果を奏する。
【００１８】
また、第一板体の第一結合部と第二板体の第二結合部の設置によって、二つの折り畳みテーブルを展開しかつ安定して合体するテーブル構造はそれぞれの第一結合部と第二結合部を直接連結する方法で互いに結合され、二つの折り畳みテーブルを安定して合体する効果を奏する。
【図面の簡単な説明】
【００１９】
【図１】図１は、従来の折り畳みテーブル構造を示す斜視図である。
【図２】図２は、従来の折り畳みテーブル構造の折り畳みフレームと支持ユニットの局部拡大図である。
【図３】図３は、本考案に係る折り畳みテーブルを展開しかつ安定して合体するテーブル構造を示す部分の底視平面図である。
【図４】図４は、本考案に係る折り畳みテーブルを展開しかつ安定して合体するテーブル構造を示す側視図である。
【図５】図５は、本考案に係る折り畳みテーブルを展開しかつ安定して合体するテーブル構造の一脚の分解図である。
【図６】図６は、本考案に係る折り畳みテーブルを展開しかつ安定して合体するテーブル構造の一脚の組立図である。
【図７】図７は、本考案に係る折り畳みテーブルを展開しかつ安定して合体するテーブル構造がテーブルを合体する時の部分断面図である。
【考案を実施するための形態】
【００２０】
まず、図３から図７を参照されたい。本考案の折り畳みテーブルを展開し、かつ安定に合体可能なテーブル構造は、テーブル天板１と、二つの合致フレーム２と、二つの折り畳みテーブル脚３とを含む。
前記テーブル天板は、それぞれ二つの長辺と二つの短辺を備えて長方形を呈する第一板体と第二板体からなり、それぞれの一方側の長辺を接して互いに連接して折り畳み可能とされる。
【００２１】
第二板体１２との連接部分の反対側の第一板体１１の長辺に第一結合部１３が設けられ、第一板体１１との連接部分の反対側の第二板体１２の長辺に第二結合部１４が設けられる。
図７に示されるように、折り畳みテーブルを展開しかつ安定して合体させるテーブル構造１００の第一結合部１３は、他のもう一方の折り畳みテーブルを展開しかつ安定して合体させるテーブル構造１００の第二結合部１４と互いに結合し、二つのテーブルを合体したテーブルになる。本考案の一実施例において、第一結合部１３と第二結合部１４は直接連結する方法で結合されるが、本考案はこれに限らない。
【００２２】
二つの合致フレーム２は、第一板体１１と第二板体１２の各短辺にそれぞれ接して設置される。二つの合致フレーム２はそれぞれ第一フレーム２１と第二フレーム２２であり、第一板体１１と第二板体１２の裏側表面にそれぞれ設置される。第一フレーム２１は第一板体１１の短辺に近い場所に第一合致スリット２３があり、第二フレーム２２は第二板体１２の短辺に近い場所に第二合致スリット２４がある。
二つの折り畳みテーブル脚３は、それぞれ二つの合致フレーム２に対応して設置される。二つの折り畳みテーブル脚３は第一支持部材３１と第二支持部材３２であり、第一支持部材３１と第二支持部材３２の形状が類似または同じであるが、これに限らない。第一支持部材３１は、順番に第一Ｕ字型金具３１１、第一弾性山型本体３１２と第一バネスリーブ３１３が一体成型され、第二支持部材３２は順番に第二Ｕ字型金具３２１、第二弾性山型本体３２２と第二バネスリーブ３２３が一体成型される。
第一弾性山型本体３１２は、第一フレーム２１の第一合致スリット２３に貫通して掛けて、第一Ｕ字型金具３１１と第一バネスリーブ３１３を第一板体１１と第二板体１２の各長辺の連接部分に近付けて配置される。第二弾性山型本体３２２は、第二フレーム２２の第二合致スリット２４に貫通して掛けて、第二Ｕ字型金具３２１と第二バネスリーブ３２３を第一板体１１と第二板体１２の各長辺の連接部分に近付けて配置される。また、第一Ｕ字型金具３１１は第二バネスリーブ３２３に挿し込み、第二Ｕ字型金具３２１は第一バネスリーブ３１３に挿し込む。
【００２３】
図３を参照されたい。
展開状態の時、第一板体１１と第二板体１２が同じ平面にあり、また折り畳みテーブル脚３の第一支持部材３１の第一弾性山型本体３１２は傾斜した方向を向いて第一板体１１と第二板体１２との連接部分より離れた位置で第一合致スリット２３の一端に当接する。同様に、折り畳みテーブル脚３の第二支持部材３２の第二弾性山型本体３２２は傾斜した方向を向いて第一板体１１と第二板体１２との連接部分より離れた位置で第二合致スリット２４の一端に当接する。
このとき、第一バネスリーブ３１３は挿入された第二Ｕ字型金具３２１に対して働く弾発力、また、第二バネスリーブ３２３は挿入された第一Ｕ字型金具３１１に対して働く弾発力によって拡大され、
さらに第一弾性山型本体３１２の底部、第二弾性山型本体３２２の底部は、第一Ｕ字型金具３１１を第二バネスリーブ３２３に挿し込み、第二Ｕ字型金具３２１を第一バネスリーブ３１３に挿し込んだ構造により固定される。
【００２４】
折り畳まれた状態の時（図示なし。  特許文献１：実用新案登録第３２２１１５３号公報参照）、第一板体１１は第二板体１２の方向へ向かって折り畳まれて接近することで、第一弾性山型本体３１２は第一合致スリット２３に沿って移動して第一板体１１と第二板体１２の連接部分に接近し、また第一弾性山型本体３１２の全体は第一板体１１に接近する。
おなじく、第二弾性山型本体３２２は、第二合致スリット２４に沿って移動して第一板体１１と第二板体１２の連接部分に接近し、また第二弾性山型本体３２２の全体は第二板体１２に接近することで、第一支持部材３１と第二支持部材３２は第一フレーム２１と第二フレーム２２の間に位置して、同時に第一フレーム２１と第二フレーム２２は第一板体１１と第二板体１２の間に位置する。
【００２５】
本考案の一部の実施例において、第一フレーム２１はほぼ三角形を呈し、三角形を呈する第一フレーム２１の長辺に第一合致スリット２３が設置され、三角形を呈する第一フレーム２１の短辺は第一板体１１と第二板体１２の連接部分に設置され、三角形に呈する第一フレーム２１の斜辺に合致突ブロック２５が設置されて第一支持部材３１の第一弾性山型本体３１２を当接して位置限定する。
第二フレーム２２は第一フレーム２１と同様の三角形とし、第一フレーム２１と相対して設置する。
第一フレーム２１には、第一Ｕ字型金具３１１を第二バネスリーブ３２３に挿し込んだ部分の近傍となるように位置限定スリット２６が形成され、第一弾性山型本体３１２は位置限定スリット２６を貫通して位置限定スリット２６に沿って移動範囲を限定される。
【００２６】
図５と図６を参照されたい。
第一支持部材３１の第一弾性山型本体３１２は、第一上段３１２１、第一連接段３１２２と第一下段３１２３からなる。第一上段３１２１は第一板体１１の側に設置され、第一連接段３１２２の両端はそれぞれ角度を付けて第一上段３１２１と第一下段３１２３とに連接される。
第一上段３１２１は、連接する第一連接段３１２２と反対方向端で第一バネスリーブ３１３に連接され、第一バネスリーブ３１３は第一上段３１２１下方へ延伸されることで、第一バネスリーブ３１３は第一板体１１の裏側表面とほぼ垂直をなす。
第一下段３１２３は、第一連接段３１２２との連接部分近傍で第一合致スリット２３を貫通し、展開状態の時には傾斜した方向となって第一板体１１と第二板体１２の連接部分より離れた方向の第一合致スリット２３の一端に当接し、さらに、第一下段３１２３は、連接する第一連接部分３１２２に対する反対端で第一Ｕ字型金具３１１が連接され、第一Ｕ字型金具３１１は第一下段３１２３より上方へ延伸されることで、第一Ｕ字型金具３１１は第一板体１１の裏側表面とほぼ垂直をなす。
【００２７】
本考案の一部の実施例において、第一上段３１２１は第一Ｕ字型金具３１１と隣接する部位で第一フレーム２１の位置限定スリット２６を貫通し、第一弾性山型本体３１２の第一上段３１２１に対して移動位置の範囲を限定する。
さらに、第二支持部材３２の第二弾性山型本体３２２は第二上段３２２１、第二連接段３２２２と第二下段３２２３からなる。
第二上段３２２１は、第二板体１２の側に設置され、第二連接段３２２２の両端はそれぞれ角度を付けて第二上段３２２１と第二下段３２２３と連接される。
第二上段３２２１は、連接する第二連接段３２２２の反対端で第二バネスリーブ３２３と連接され、また第二バネスリーブ３２３は連接する第二上段３２２１より下方へ延伸することで、第二バネスリーブ３２３は第二板体１２の裏側表面とほぼ垂直をなす。
第二下段３２２３は、第二連接段３２２２との連接部分近傍で第二板体１２の第二合致スリット２４を貫通し、また展開状態の時には傾斜した方向となって第一板体１１と第二板体１２の連接部分より離れた方向の第二合致スリット２４の一端に当接する。
第二下段３２２３は、連接する第二連接部分３２２２の反対端で第二Ｕ字型金具３２１が連接され、第二Ｕ字型金具３２１は第二下段３２２３より上方へ延伸されることで、第二Ｕ字型金具３２１は第二板体１２の裏面表面とほぼ垂直をなす。
【００２８】
図３を参照されたい。第一Ｕ字型金具３１１を第二バネスリーブ３２３部分に挿し込んで第一板体１１と第二板体１２の各短辺から離して（浮かせて）配置し、第二Ｕ字型金具３２１を第一バネスリーブ３１３部分に挿し込んで、第一板体１１と第二板体１２の各短辺から浮かせて配置される。すなわち、底面図(図３）から見ると、上記展開状態の時、第一支持部材３１の第一上段３１２１と第一下段３１２３が交互に交差し、第二支持部材３２の第二上段３２２１と第二下段３２２３は交差しない。
【００２９】
上記の構造において、第一支持部材３１と第二支持部材３２は、それぞれ一体成型によって製造され、その形状は大体類似または同じであるため、生産製造しやすく、生産製造と材料のコストが節約できる。また、第一支持部材３１と第二支持部材３２の組み立ては第一Ｕ字型金具３１１を第二バネスリーブ３２３に挿し込み、第二Ｕ字型金具３２１を第一バネスリーブ３１３に挿し込むことで、組み立てやすく、取り外しやすい。
また、第一バネスリーブ３１３が第二Ｕ字型金具３２１に対して作用する弾発力と第二バネスリーブ３２３が第一Ｕ字型金具３１１に対して作用する弾発力を利用すると、大きな力を使わなくても展開でき、さらに第一弾性山型本体３１２の底部、第二弾性山型本体３２２の底部と第一Ｕ字型金具３１１によって第二バネスリーブ３２３に挿し込み、第二Ｕ字型金具３２１を第一バネスリーブ３１３に挿し込む構造により固定し、展開後の安定効果を奏する。
また、第一板体１１の第一結合部１３と第二板体１２の第二結合部１４を設置することにより、二つの折り畳みテーブルを展開しかつ安定して合体させるテーブル構造１００はそれぞれの第一結合部１３と第二結合部１４を直接連結する方法で互いに結合され、二つのテーブルを安定して合体させる効果を奏する。
【００３０】
以上は、本考案に係る一実施例に過ぎないため、本考案の実施範囲を制限するものではない。即ち、本考案の実用新案登録請求の範囲内で行われる変更、応用なども本考案の範囲に属すべきである。
【符号の説明】
【００３１】
１００      折り畳みテーブルの展開かつ安定に合わせるテーブル構造
１          テーブル天板
１１        第一板体
１２        第二板体
１３        第一結合部
１４        第二結合部
２          合致フレーム
２１        第一フレーム
２２        第二フレーム
２３        第一合致スリット
２４        第二合致スリット
２５        合致ブロック
２６        位置限定スリット
３          折り畳みテーブル脚
３１        第一支持部材
３１１      第一Ｕ字型金具
３１２      第一弾性山型本体
３１２１    第一上段
３１２２    第一連接段
３１２３    第一下段
３１３      第一バネスリーブ
３２        第二支持部材
３２１      第二Ｕ字型金具
３２２      第二弾性山型本体
３２２１    第二上段
３２２２    第二連接段
３２２３    第二下段
３２３      第二バネスリーブ
１０’      テーブル天板
１１’      長方形板体      
１３’      凸リブ
２０’      折り畳みフレーム
２１’      第一鉄片
２１１’    内折側板
２１２’    位置限定長スリット
２１３’    位置限定滑り辺
２１４’    内当て板
２１５’    位置限定短スリット
２１６’    頂端
２１７’    斜め誘導辺
２１８’    位置限定板
２２’      第二鉄片
２２１’    外折側板
２２２’    位置限定長スリット
２２３’    位置限定滑り辺
２３’      回転軸部
３０’      支持ユニット
３１’      第一脚
３１１’    第一立て棒
３１２’    第二立て棒
３１３’    組み合わせ接続棒
３１４’    組み合わせスリーブ
３２’      第二脚
３２１’    第一立て棒
３２２’    第二立て棒
３２３’    組み合わせ接続棒
３２４’    組み合わせスリーブ
【図１】
0003225337.tif 000003
【図２】
0003225337.tif 000004
【図３】
0003225337.tif 000005
【図４】
0003225337.tif 000006
【図５】
0003225337.tif 000007
【図６】
0003225337.tif 000008
【図７】
0003225337.tif 000009
【手続補正書】
【提出日】令和1年12月19日(2019.12.19)
【手続補正１】
【補正対象書類名】実用新案登録請求の範囲
【補正対象項目名】請求項１
【補正方法】変更
【補正の内容】
【請求項１】
テーブル天板と、二つの合致フレームと、二つの折り畳みテーブル脚とを含む、折り畳みテーブルを展開しかつ安定して合体可能なテーブル構造であって、
前記テーブル天板は、それぞれ二つの長辺と二つの短辺を備えて長方形を呈する第一板体と第二板体からなり、それぞれの一方側の長辺を接して互いに連接して折り畳み可能とされ、
上記二つの合致フレームは、それぞれ第一フレームと第二フレームであって、第一板体と第二板体の各短辺にそれぞれ接して、該第一板体と第二板体の裏側表面に設置され、該第一フレームは、上記第一板体の短辺に近い場所に第一合致スリットを設け、上記第二フレームは上記第二板体の短辺に近い場所に第二合致スリットを設け、
上記二つの折り畳みテーブル脚は、それぞれ二つの合致フレームに対応して設置され、
該二つの折り畳みテーブル脚は、それぞれ第一支持部材と第二支持部材であって、該第一支持部材は、順番に第一Ｕ字型金具、第一弾性山型本体と第一バネスリーブが一体成型されてなり、
該第二支持部材は、順番に第二Ｕ字型金具、第二弾性山型本体と第二バネスリーブが一体成型されてなり、
上記第一弾性山型本体は、上記第一フレームの第一合致スリットを貫通して掛けて、上記第一Ｕ字型金具と上記第一バネスリーブを上記第一板体と上記第二板体の各長辺の連接部分に近付けて配置し、
上記第二弾性山型本体は、上記第二フレームの上記第二合致スリットを貫通して掛けて、上記第二Ｕ字型金具と上記第二バネスリーブを上記第一板体と上記第二板体の各長辺の連接部分に近付けて配置し、
また、上記第一Ｕ字型金具を上記第二バネスリーブに挿し込み、上記第二Ｕ字型金具を上記第一バネスリーブに挿し込むことにより、
展開状態の時、上記第一板体と上記第二板体が同じ平面にあり、また各折り畳みテーブル脚の上記第一支持部材の上記第一弾性山型本体を傾斜させて上記第一板体と上記第二板体の連接部分より離れた方向の上記第一合致スリットの一端に当接し、
折り畳みテーブル脚の上記第二支持部材の上記第一弾性山型本体を傾斜させて上記第一板体と上記第二板体の連接部分より離れた位置の上記第二合致スリットの一端に当接し、同時に上記第一バネスリーブが上記第二Ｕ字型金具に対して作用する弾発力、上記第二バネスリーブが上記第一Ｕ字型金具に対して作用する弾発力によって広げられ、
さらに上記第一弾性山型本体の底部及び上記第二弾性山型本体の底部を,
それぞれ上記第一Ｕ字型金具を上記第二バネスリーブに挿し込み、上記第二Ｕ字型金具を上記第一バネスリーブに挿し込んだ構造により固定し、
折り畳まれた状態の時、上記第一板体は上記第二板体の方向へ向かって折り畳まれて接近して、上記第一弾性山型本体は上記第一合致スリットに沿って移動して上記第一板体と上記第二板体の連接部分に接近し、また上記第一弾性山型本体の全体を上記第一板体に接近させ、上記第二弾性山型本体は上記第二合致スリットに沿って移動して上記第一板体と上記第二板体の連接部分に接近し、また上記第二弾性山型本体の全体は上記第二板体に接近させ、上記第一支持部材と上記第二支持部材を上記第一フレームと上記第二フレームの間に位置させ、同時に上記第一フレームと上記第二フレームを上記第一板体と上記第二板体の間に位置させることを特徴とする折り畳みテーブルを展開しかつ安定して合体可能なテーブル構造。